(57)【要約】【課題】果樹、あるいは菜園の害虫を低コストで駆除あるいは忌避したい。【解決手段】所定幅の非透水性の長尺のシートを幅方向の山と谷が長手方向に交互に連続するように蛇腹状に折り込んで蛇腹シートを得、また、前記蛇腹シートの長手方向に２条、前記山を押さえ込んで折れ線を形成しておく。前記２条の折れ線で分割される中央の領域の一方の面に、長さ方向全体に渡って粘着剤を積層しておく。防虫シートを目的とする箇所の長さに対応した長さに切断してシート片となし、果樹の幹や、菜園のフェンスに前記粘着剤を利用して密着させて固定部とする。このように幹やフェンスに固定されたシート片の上側の折れ線を利用して、前記シート片の上部を水平に折り曲げて、傘部を形成し、シート片の下の折れ線を利用して、シート片の下端部を上方向に折り曲げて薬剤部を形成し、前記の薬剤部に殺虫あるいは忌虫効果のある薬剤を充填する。【選択図】図１
2015062405.tif 000002
【特許請求の範囲】
【請求項１】
所定幅の非透水性の長尺のシートを幅方向の山と谷が長手方向に交互に連続するように蛇腹状に折り込んだ蛇腹シート、
前記蛇腹シートの長手方向に２条、前記山を押さえ込んで形成した折れ線、
前記２条の折れ線で分割される中央の領域の一方の面に、長さ方向全体に渡
って積層した粘着剤、
を備えたことを特徴とする防虫シート。
【請求項２】
前記請求項１記載の防虫シートを必要とする箇所に対応した長さに切断したシート片、
前記シート片を、防虫を必要とする箇所に前記粘着剤を利用して密着させるように貼り付ける固定部、
前記シート片の上側の折れ線を利用して、前記シート片の上部を幹の径方向に折り曲げた傘部、
シート片の下の折れ線を利用して、シート片の下端部を斜め上方向に折り曲げ薬剤を載置する空間を形成した薬剤部、
を備えたことを特徴とする防虫具。
【請求項３】
前記防虫を必要とする箇所が、果樹の幹である請求項２に記載の防虫具。
【請求項４】
前記防虫を必要とする箇所が、菜園周辺のフェンスである請求項２に記載の防虫具。
【発明の詳細な説明】
【技術分野】
【０００１】
本発明は防虫シートとそれを用いた防虫具に関し、特に、果樹に使用する防虫シート及び防虫具に関するものである。
【背景技術】
【０００２】
樹木、特に果樹の防虫対策には種々の方法が採用されている。
【０００３】
その多くは、表面に粘着性の物質、あるいは毒性を持った薬剤を塗布した帯状体であり、当該帯状体を樹木巻くことによって、害虫を捕獲あるいは死滅させるようになっている。（例えば特開平６-２１７６７０）。
【０００４】
また、帯状体に不織布を用い、当該不織布の毛羽立ちで害虫を捕獲するという提案もある（特開２００６-２６２７７４）。
【０００５】
更に、害虫が樹木に這い上がるのを防止する傘状体を幹に取り付け、傘の裏側に粘着性の物質を塗った構成（特開平７-８７）、あるいは傘の内部の幹の周辺に殺虫剤を配置する構成（特開平成８-２３８６４）がある。また、前記特開平７-８７では、蛇腹状の媒体を傘状に樹木に巻いて、その伸縮性を利用して樹木の成長に障害を来たさないようになっている。
【先行技術文献】
【特許文献】
【０００６】
【特許文献１】特開平６-２１７６７０
【特許文献２】特開平７-８７
【特許文献３】特開平成８-２３８６４
【特許文献４】特開２００６-２６２７７４
【発明の概要】
【発明が解決しようとする課題】
【０００７】
上記帯状体の表面に粘着物質を塗ったり、あるいは殺虫剤を塗った構成は、当然天候の変化に弱く、長い期間の効力は期待できないことになる。また、不織布を用いる構成も当然経年劣化をともない、長期の効果は期待できない。特開平７-８７、あるいは特開平８-２３８６４では、一応、傘状体の裏側、あるいは傘状体で反故された位置に粘着物質あるいは薬剤を配置するようになっているので、薬剤あるいは粘着物質が外部に露出している場合よりは長い効果が期待できる。加えて、特開平８-２３８６４では、殺虫剤を経年劣化に応じて追加していくことも可能であり、可撓性の材質を選択することによって、樹木の成長を阻害することのないようになっているが、形状が複雑で製作に時間を要し、コストがかかる難点がある。加えて、殺虫剤を使用するので、合成ゴム等の可撓性の材質を殺虫剤の触れる箇所に使用すると、劣化が早くなり、この観点でもコストがかかることになる。一方、特開平７-８７では樹木の成長を阻害することがないが、粘着剤の経年劣化を防止することができず、時間経過にともなって、新しいシートと取り替える必要がある。
【０００８】
したがって、樹木の成長を阻害することなく、かつ、劣化する殺虫剤（粘着剤）を補充でき、しかも取り扱いが簡単でコストのかからない防虫シートの出現が期待されるところである。
【課題を解決するための手段】
【０００９】
本発明の防虫シートは以下の構成になっている、まず、所定幅の非透水性の長尺のシートを幅方向の山と谷が長手方向に交互に連続するように蛇腹状に折り込んで蛇腹シートを得る。また、前記蛇腹シートの長手方向に２条、前記山を押さえ込んで折れ線を形成しておく。前記２条の折れ線で分割される中央の領域の裏面に、長さ方向全体に渡って粘着剤を積層しておく。
【００１０】
これによって、所定長さの長尺物をまるめ込んで流通過程に乗せることができる。
【００１１】
前記の防虫シートを用いて以下のように簡単に防虫具を組み立てることができる。すなわち、前記の防虫シートを目的の箇所（例えば果樹の幹、菜園のフェンス）の長さに対応して切断してシート片となす。防虫を必要とする箇所、例えば、果樹の幹に前記粘着剤を利用して密着させるように巻回して、あるいは菜園の周囲に張り巡らされたフェンスに前記粘着剤を利用して固定部とする。このように防虫を必要とする箇所に固定されたシート片の上側の折れ線を利用して、前記シート片の上部を水平に、あるいは以下に説明する薬剤部を覆うように折り曲げて傘部を形成する。更に、シート片の下の折れ線を利用して、シート片の下端部を上方向に折り曲げて薬剤部を形成し、前記の薬剤部に殺虫あるいは忌虫効果のある薬剤を充填する。
【発明の効果】
【００１２】
原型は蛇腹状の長尺のシートであり、これを現場で果樹の幹の現状の太さ、あるいは、菜園のフェンスの長さに応じた長さに切断して、固定部、傘部と薬剤部を簡単に形成することができる。従って、原料が安価でありながら薬剤が風雨にさらされることがなく、薬剤自体の経年劣化を考慮して補充あるいは入れ替えをすればよいことになる。また、薬剤に犯されない材質を使用することによって、耐久性が確保できることになる。更に、樹木や、フェンスを這い上がる害虫を完全に駆除あるいは捕獲できるので、果樹等に噴霧する薬剤を減らすことができる。
【図面の簡単な説明】
【００１３】
【図１】本発明に使用する防虫シートの斜視図
【図２】防虫シートの幅方向を見た側面図
【図３】果樹の幹に固定した防虫具
【図４】果樹の幹に固定した別の防虫具
【図５】菜園のフェンスに固定した防虫具
【発明を実施するための形態】
【００１４】
図１は、本願に使用する防虫シートの外観を斜視図で示すものである。
【００１５】
所定幅で長尺の非透水性の材質、例えばアルミシートを、幅方向の山と谷が長手方向に交互連続するように折り込んで蛇腹シート１に成型する。この成型は、例えば２つの歯車の間に長尺のアルミシートを巻き込んでいくことによって実現できる。このようにして得られた蛇腹シート１の長尺物に対して、更に、幅方向に所定の間隔を保って、長手方向に２条の折れ線１１ａ、１１ｂを形成する。この折れ線は、例えば、前記蛇腹シート１を、幅方向に所定の間隔で配置された幅の薄いローラで抑えて、前記山を潰すようにして形成することができる。あるいは、長尺の薄板を、山を潰すように上から押さえることによって形成することができる。尚、山が潰された側が、当該蛇腹シートを折るとき（後述）の谷側となり、以下の説明では表となる。この表面を谷側にして折ることによって正確に折れ線に沿って折ることができる。
【００１６】
これによって、上記の蛇腹シート１は、２条の折れ線１１ａ、１１ｂで幅方向に３分割された状態となる。前記一方の折れ線１１ａから幅方向の一方端までの領域２１０は、以下に説明する防虫具の傘部２１となる。この傘部２１は、前記防虫具の薬剤部２３（後述）を被う幅が必要であり、前記領域２１は幅方向の半分前後あるいはそれ以上の幅となる。
【００１７】
一方の折れ線１１ａと他方の折れ線１１ｂの中間の領域２２０は、前記防虫具の固定部２２（後述）となり、当該領域２２０の裏側には、ブチルゴム、ウレタンゴム等の粘着材の層２２１が形成される。流通過程では、更に当該粘着層２２１の裏側に非粘着性の保護膜２２２が積層され、粘着剤を保護するとともに、粘着剤にみだりに周辺の物が粘着することを防止する構成となっている。
【００１８】
更に、前記他方の折れ線１１ｂから幅方向の他方の縁までの領域２３０は、前記防虫具の薬剤部２３（後述）となり、薬剤部２３となったときに薬剤を所定の量充填できる幅が必要となる。
【００１９】
このように成型された蛇腹シート１は図３に示すように防虫具として使用する。
【００２０】
果樹等の幹１００の現状の太さに重ね代を勘案した長さに蛇腹シート１を鋏等で幅方向に切断してシート片１０を形成する。
【００２１】
次いで、粘着層２２１の裏に張られている保護膜２２２を剥がして、果樹の幹１００の必要な箇所、例えば根元近くに、粘着剤が幹側になるようにシート片１０を巻回する。このとき、前記傘部２１となる方を上、薬剤部２３となる方を下に配置する。また、シート片１０と幹１００の間に蟻等の虫が這い上がる隙間ができないようにし、また、両端間にも隙間ができないように重ね代を形成しておく。更に、この巻回時にシート片１０を巻回に要する力で引っ張ることもあるが、前記折れ線１１ａ、１１ｂで山を潰しているので、伸張に対する抵抗が大きくなり、蛇腹が崩れることはない。
【００２２】
この状態で、前記上側の折れ線１１ａを利用して、シート片１０の上半分の領域２１０を表側を谷にして、水平に折り曲げ、傘部２１を形成する。このとき幹１００から径方向に離れる程周長が長くなるが、シート片１０は蛇腹状になっているので、この周長の変化を吸収することができる。
【００２３】
更に、下の折れ線１１ｂを利用してシート片１０の下の端部の領域２３０を表側を谷にしてｖ字状に斜め上方向に折り曲げる。これによって、前記中の領域２２０の表側と下の領域２３０の表側で、薬剤を収納するスペースが形成され、薬剤部２３となすことができる。その後、前記薬剤部２３に固形、粉、あるいはジェル状の薬剤を充填する。また、液体状の薬液であっても、綿等の保湿材に漬浸させることによって、薬剤部２３に置くことができる。
【００２４】
図４は、防虫具の別の使用形態を示すものである。
【００２５】
傘部２１の先端部の蛇腹を伸ばして、薬剤部２３を覆うような形状にし、保護を十分にしている。また、薬剤部２３の先端部をｕ字状にして、薬剤を受けやすくしている。
【００２６】
図３、図４に示す防虫具において、果樹の幹に下から這い上がるナメクジや蟻等の害虫は、薬剤部に置かれた駆除剤、あるいは補足剤の部分を通過せざるを得ないので、簡単に補足あるいは駆除されることになる。また、傘部２１を大きくすると風雨の影響を受けにくくすることができ、この観点からの薬剤の損傷は少ない。日数の経過とともに薬剤の劣化が生じることになるが、入れ替えあるいは補充の必要が生じる。このとき薬剤を手で補充することになるが、薬剤がジョル、あるいは液体である場合は、傘部２１の下側から先端が逆Ｕ字になったスポイドの先端を薬剤部２３の上に回して、傘部２１に邪魔されることなく簡単に補充することができる。
【００２７】
図５は、防虫具の更に別の使用形態を示すものである。菜園５０の周囲に張り巡らされたフェンス５１の周囲に、前記粘着剤層を利用してシート片を貼り付ける構成となる。従って、シート片はフェンス５１の長さを勘案した長さとなることは勿論である。この場合も、領域２１０を水平に折り曲げて傘部２１を形成し、領域２３０を利用して薬剤部２３を形成する。
【００２８】
これによって、野菜等を栽培している菜園に侵入しようとするなめくじ等の害虫を駆除あるいは捕捉することができることになる。この場合においてもフェンスのコーナ部でも、蛇腹を伸ばすことによってシート片の連続性を保つことができるので、コーナ部から害虫をフェンス内に導くことを素子することができる。尚、図５では、傘部２１、薬剤部２３が見えるようにコーナ部でシート片を切った状態にしている。
【００２９】
以上説明したように本発明に係る防虫具は、１枚の蛇腹シートから組み立てるので、コストが非常に低くなる。また、果樹や菜園のフェンスの下から這い上がってくるなめくじや蟻を薬剤部２３の薬剤で完全に駆除あるいは捕捉することができ、しかも、蛇腹シートが樹木の成長を吸収することができ、幹の径が太くなっても長期間に渡っての使用に耐えることになる。
【産業上の利用可能性】
【００３０】
本発明は、安価で簡単に害虫を駆除できるため、営業用の果樹園業者ばかりでなく、家庭菜園で野菜を育てている者の利用にも十分耐え得るものと考えられ、産業上の利用価値は大きいと見込まれる。
【符号の説明】
【００３１】
１  蛇腹シート
１０  シート片
１１（１１ａ、１１ｂ）  折れ線
２１  傘部
２２  固定部
２３  薬剤部
１００  幹
【図１】
2015062405.tif 000003
【図２】
2015062405.tif 000004
【図３】
2015062405.tif 000005
【図４】
2015062405.tif 000006
【図５】
2015062405.tif 000007